(57)【要約】【課題】展示物の形状や設置面に自由度を持たせることが可能な展示台を提供する。【解決手段】展示台１は、ベース１１、パネル１３および固定具１５で構成される。ベース１１は、ベース底面１１９、ベース前面１１５、ベース右側面１１６、ベース左側面１１７、ベース後面１１８より成り、ベース右側面１１６およびベース左側面１１７の上辺付近に上辺に沿ってスチール１１１が取り付けられる。ベース底面１１９とベース後面１１８には固定用孔１１３、１１４が設けられる。パネル１３には展示物を保持する展示物設置部１３３が設けられ、パネル１３の裏面にはマグネット１３１が取り付けられ、パネル１３をベース１１の上部に置くことによりパネル１３がベース１１に着脱可能に保持される。パネル１３を取り換えることで、さまざまな形状の展示物を保持、展示することが可能である。【選択図】図２
2011092374.tif 000002
【特許請求の範囲】
【請求項１】
ベース部と、
商品を保持するための凹部または開口部を有するパネル部と、
前記パネル部を前記ベース部に対して着脱可能に保持する保持手段と、
前記ベース部に取り付けられ、前記ベース部を外部に固定する固定具と、
を具備することを特徴とする展示台。
【請求項２】
前記保持手段はスチール材とマグネットより成ることを特徴とする請求項１記載の展示台。
【請求項３】
前記パネル部の端部の上方に位置するように前記ベース部に設けられる係止部を更に具備することを特徴とする請求項１または請求項２に記載の展示台。
【請求項４】
前記固定具は吸盤であることを特徴とする請求項１乃至請求項３のいずれかに記載の展示台。
【請求項５】
前記吸盤は、ネジ部を有するネジ付き吸盤であり、
前記ベース部は、固定具の取り付け部として前記ネジ部を貫通させる貫通孔を有することを特徴とする請求項４に記載の展示台。
【請求項６】
前記ベース部は、開口面を有する筐体であり、前記筐体の開口面を除き、複数の構成面に固定具または固定具の取り付け部を有することを特徴とする請求項１乃至請求項５のいずれかに記載の展示台。
【請求項７】
前記筐体は、矩形の底面、矩形の前面、前記前面の高さよりも高さの高い矩形の後面、前記前面と前記後面の高さ方向の辺を平行な２辺とする台形の左右側面を有し、
前記底面を含む複数の面に固定具または固定具の取り付け部を有することを特徴とする請求項６に記載の展示台。
【発明の詳細な説明】
【技術分野】
【０００１】
本発明は展示台に関し、更に詳しくは、化粧品テスター（試供品）などの様々な形状の展示物を展示可能とし、平面、立面等に固定可能な展示台に関する。
【背景技術】
【０００２】
近年、商品等の宣伝広告を効果的に行い、消費者の購買意欲を喚起するためのＰＯＰ用品が開発されており、その中に、商品テスターや商品等を展示するための展示台がある（例えば、特許文献１）。
特許文献１は、商品の展示機能を高めるために、照明装置を備えた展示台を開示している。
【０００３】
一方、小物を収納するための収納用品も様々開発されている（例えば、特許文献２）。
特許文献２は、小物を収納するための小物収納具を開示しており、シート状物の表面部分にポケットまたは偏平の箱体を形成し、小物を収納できるようにするとともに、シート状物にドア、壁面、窓等の立面に固定する固定手段を設けている。
【先行技術文献】
【特許文献】
【０００４】
【特許文献１】特開２００６−３４８３９号公報
【特許文献２】登録実用新案３０５８６６６号公報
【発明の概要】
【発明が解決しようとする課題】
【０００５】
商品テスター等は、例えば化粧品であれば洗面台の壁面等に設置するというように、その特徴に適した様々な場所に設けるとより訴求効果が高まると考えられる。しかしながら、特許文献１の展示台は平面上に置くことを、特許文献２の小物収納具は立面に固定することを前提にしており、設置の自由度が少ないという問題がある。また、特許文献１の展示台は、基板上に滑り止めの粘着シートを設け、商品がずれ落ちないようにしており、展示する商品の形状等が制限されるという問題もある。特許文献２の小物収納具も、ポケットまたは箱体は固定されており、収納するものの形状や大きさが制限されるという問題がある。
【０００６】
本発明は、上記の問題に鑑みてなされたもので、展示物の形状や設置面に自由度を持たせることが可能な展示台を提供することを目的とする。
【課題を解決するための手段】
【０００７】
前述した目的を達成するための本発明は、ベース部と、商品を保持するための凹部または開口部を有するパネル部と、前記パネル部を前記ベース部に対して着脱可能に保持する保持手段と、前記ベース部に取り付けられ、前記ベース部を外部に固定する固定具と、を具備することを特徴とする展示台である。
【０００８】
パネル部がベース部に対して着脱可能に保持されるので、商品を保持するための凹部または開口部の形状が異なるパネル部を取り換えて使用することにより、同一のベース部において、様々な形状の展示物を展示することが可能になる。
【０００９】
前記保持手段はスチール材とマグネットより成る。また、第１の発明の展示台は、前記パネル部の端部の上方に位置するように前記ベース部に設けられる係止部を更に具備してもよい。その他、例えば前記保持手段を面ファスナーとすることもできる。
また、前記固定具は吸盤とすることができるが、他にも、例えばマグネットであってもよい。前記吸盤は、ネジ部を有するネジ付き吸盤とすることができ、このとき、前記ベース部は、固定具の取り付け部として前記ネジ部を貫通させる貫通孔を有するようにする。
【００１０】
以上のように、保持手段により、パネル部がベース部に着脱可能に保持可能になり、係止部により、パネル部が浮き上がることがない。また、固定具により、ベース部が外部に固定され、展示台を固定することが可能である。また、ねじ付き吸盤を用いて展示台をより確実に固定することもできる。
【００１１】
また、前記ベース部は、開口面を有する筐体であり、前記筐体の開口面を除く複数の構成面に固定具または固定具の取り付け部を有する。特に、前記筐体を矩形の底面、矩形の前面、前記前面の高さよりも高さの高い矩形の後面、前記前面と前記後面の高さ方向の辺を平行な２辺とする台形の左右側面を有するものとし、前記底面を含む複数の面に固定具または固定具の取り付け部を有することが望ましい。
【００１２】
以上の形状のベース部により、パネル部が傾斜をもって保持され、展示物をより見やすく保持することが可能である。また、（底面を含む）複数の面に固定具の取り付け部を有することにより、展示台を洗面台等の天板や壁面等の立面に固定することが可能になる。
【発明の効果】
【００１３】
本発明により、展示物の形状や設置面に自由度を持たせることが可能な展示台を提供することが可能になる。
【図面の簡単な説明】
【００１４】
【図１】本発明の第１の実施形態に係る展示台１の概略斜視図
【図２】本発明の第１の実施形態に係る展示台１の各部（ベース１１、パネル１３、固定具１５）の概略斜視図
【図３】本発明の第１の実施形態に係る展示台１の保持手段、係止部１１２を示す概略側面図
【図４】本発明の第１の実施形態に係る展示台１の置き方を変えた使用方法の説明図
【図５】本発明の第１の実施形態に係る展示台１の別の形状の係止部１１２の説明図
【図６】本発明の第２、第３の実施形態に係るベース１１の概略斜視図。
【発明を実施するための形態】
【００１５】
図１、図２、図３は、本発明の第１の実施形態に係る展示台１の説明図である。
図１は、展示台１の概略斜視図であり、図１に示すように、展示台１は、ベース１１、パネル１３、固定具１５で構成される。
ベース１１は、上部が開口した筐体（ケース）であり、ベース１１の開口部の上部にパネル１３が保持される。パネル１３には展示物を保持するための凹部が設けられている。また、固定具１５は、ベース１１を外部に固定し、これにより、展示台１は外部に固定される。
【００１６】
図２は、図１に示した展示台１の各部分の説明図である。
図２（ａ）は、ベース１１の斜視図である。
【００１７】
ベース１１は、矩形のベース底面１１９、矩形のベース前面１１５、矩形のベース後面１１８、ベース右側面１１６、ベース左側面１１７より成る。ベース後面１１８の高さはベース前面１１５の高さより高く、ベース右側面１１６、ベース左側面１１７は、それぞれベース前面１１５とベース後面１１８の高さ方向の辺を平行する２辺とする台形を有する。ベース１１は、例えば、アクリル樹脂等を素材とし、接着加工等により成型される。
【００１８】
ベース右側面１１６、ベース左側面１１７の上部近く（パネル１３及びマグネット１３１の厚さを見込んだ分だけ上端から下方の位置）には、開口面と平行に細長い矩形のスチール１１１が取り付けられる。スチール１１１は、例えば接着により取り付ける。
ベース前面１１５の上端には、パネル１３のずり落ちを防止するために、ベース後面１１８方向にベース側面１１６、１１７の上辺と平行に傾斜するように係止部１１２が設けられる。即ち、係止部１１２は、パネル１３をベース１１に取り付けたときに、パネル１３の端部の上方に位置し、パネル１３の上方への移動（パネルが浮き上がること）を抑え、パネル１３のずり落ちを防止する。
【００１９】
ベース底面１１９およびベース後面１１８には、固定具１５を取り付けるための固定用孔（貫通孔）１１３、１１４がそれぞれ少なくとも１つ設けられる。この図では、それぞれ４個の固定用孔１１３、１１４が設けられ、それぞれ４個の固定具１５を取り付け可能である。但し、これに限らず、別の複数の面に固定用孔を設けてもよい。また、１面のみに設けてもよいが、固定具１５を用いて展示台１を取り付け可能とし、設置の自由度を上げるためにはベース底面１１９を含む複数の面に固定用孔を設けることが望ましい。また、後述する固定具の種類によっては、例えばマグネットの場合など、固定用孔が必要でない場合もある。その場合も、上記と同様、望ましくは底面を含む、複数の面に固定具を直接取り付けるとよい。
【００２０】
図２（ｂ）は、パネル１３の斜視図である。
パネル１３の上面には、展示物の形状に合わせて凹部が展示物設置部１３３として形成される。この凹部の底面は、パネル１３の下方に突出していてもよい。展示物設置部１３３には、例えば、化粧品のテスター（口紅、ファンデーション等の試供品）が保持される。なお、展示する展示物によっては展示物設置部１３３として開口部を設けてもよく、その場合は開口部を貫通するようにベース底面１１９上に展示物を配置するような形となる。
また、パネル１３の裏面の、パネル１３をベース１１に設置した際にベース１１に取り付けられたスチール１１１と対向する位置には、マグネット１３１が取り付けられる。
パネル１３も、ベース１１と同様、例えば、アクリル樹脂等で形成される。
【００２１】
図３は、第１の実施形態に係る展示台１の保持手段、係止部１１２を説明する側面図であり、ベース右側面１１６を、図２（ａ）の矢印Ａで示す方向から見たものである。
ベース前面１１５の上端には、図に示すように、ベース右側面１１６（ベース左側面１１７）の上辺に平行に傾斜するように係止部１１２が形成されている。
ベース右側面１１６の上部付近には、前述したように、ベース右側面１１６の上辺に平行にスチール１１１が取り付けられている。ベース左側面１１７でも同様である。
パネル１３をベース１１の開口部を覆うように設置すると、パネル１３の裏側に設けられたマグネット１３１とスチール１１１が引き合うことにより、パネル１３がベース１１に保持される。即ち、スチール１１１とマグネット１３１は、パネル１３をベース１１に対し着脱可能に保持する保持手段としての役割を果たす。
【００２２】
本実施形態の展示台１では、保持手段をスチール１１１とマグネット１３１で構成したが、スチール１１１をパネル１３側に、マグネット１３１をベース１１側に取り付けてもよい。また、保持手段は、取外し時以外にはパネル１３が動かないように保持するものであればよい。例えばスチール１１１を樹脂製のものに代え、マグネット１３１を省略し、上記と同様にパネル１３をベース１１に載置したときにその前方がベース前面１１５に当接して動かないように保持されるような構成も可能である。
また、保持手段は、例えばマジックテープ（登録商標）のような面ファスナーであってもよい。スチール１１１およびマグネット１３１の位置に面ファスナーを接着することにより、面ファスナーの機能により、パネル１３をベース１１に保持することも可能である。
【００２３】
図２（ｃ）は、固定具１５の説明図である。
固定具１５は、ネジ付き吸盤１５１とナット１５７より成る。
ネジ付き吸盤１５１のネジ部１５３をベース１１のベース底面１１９の固定用孔１１３またはベース後面１１８の固定用孔１１４に差し込み、ベース底面１１９またはベース後面１１８を介してベース１１の内側からナット１５７で締め付けることにより、ネジ付き吸盤１５１がベース１１に固定される。
このネジ付き吸盤１５１を、例えば、外部の天板や壁面等にナット１５７での締め付けを行いながら吸着させることにより、展示台１を確実に固定することが可能になる。
【００２４】
固定具１５は、ネジ付き吸盤にかぎることはなく、通常の吸盤でもよい。また、マグネットであってもよい。外部の天板あるいは壁面がスチール製であるか、スチール板を天板あるいは壁面に接着することにより、展示台１を固定することが可能である。
【００２５】
図４は、本発明の第１の実施形態に係る展示台１の置き方を変えた使用方法の説明図である。なお、この例ではパネル１３によりスプレー（缶）を保持するものとする。その為、図４（ｃ）に示すように、パネル１３は、展示物設置部１３３としてスプレー缶の形状に応じた開口部を有するものを用いる。
図１に示した展示台のベース後面１１８をベース底面とし、ベース底面１１９をベース後面として置き方を変え、パネル１３の展示物設置部１３３を開口するものとし、図４（ａ）に示すように展示物（スプレー缶）を保持する。この場合も、図４（ｂ）に示す固定用孔１１３、１１４等を介してネジ付き吸盤を取り付けて、ネジ付き吸盤により展示台１を平面あるいは立面に取り付けることができる。
【００２６】
以上のように、ベースの置き方を変える、あるいは、展示物設置部１３３の形状が異なるパネル１３に取り換えることにより、さまざまな形状の展示物を展示台１に保持することが可能になる。
【００２７】
図５は、本発明の第１の実施形態に係る展示台１の別の形状の係止部１１２の説明図である。
図５に示すように、前述の係止部１１２を、ベース前面１１５の上辺の一部に設けるようにしてもよい。また、展示台１にスチールとマグネット、面ファスナーのような保持手段が設けられているならば、係止部１１２を必ずしも設けなくても、パネル１３をベース１１に保持することが可能である。
【００２８】
図６は、本発明の第２、第３の実施形態にかかる展示台１のベース１１の斜視図である。
【００２９】
図６（ａ）は、第２の実施形態にかかる展示台１のベース１１の説明図である。
ベース１１は直方体であり、矩形のベース側面１６１とベース底面１６３を有し、上部で開口する筐体（ケース）である。また、対向する１組のベース側面１６１の上辺付近に当該上辺と平行に保持手段としてのスチール１１１等が設けられる。また、ベース底面１６３およびベース側面１６１の１面には固定用孔が設けられ、図２（ｃ）に示したような固定具により、外部の天板、壁面等に展示台１を固定する。
【００３０】
図６（ａ）に示したベース１１の上面の開口部に、図２（ｂ）あるいは図４（ｃ）に示したようなパネル１３を設置することにより、パネル１３は、ベース１１に保持される。
図６（ａ）には係止部１１２は図示されていないが、ベース側面１６１の上部に、図２（ａ）または図４に示した係止部１１２と同様の係止部１１２を設けてもよい。
【００３１】
図６（ｂ）は、第３の実施形態にかかる展示台１のベース１１の説明図である。
このベース１１は、三角形のベース側面１７１、矩形のベース底面１７３で構成され、上部で開口する筐体（ケース）である。また、保持手段として４本のスチール部材１１１がベース側面１７１の上辺（底辺を除く２辺）付近に上辺と平行に取り付けられている。また、ベース側面１７１の一面、ベース底面１７３には、固定用孔が設けられる。
この形状のベース１１は、図２（ｂ）や図４（ｃ）に示したようなパネル１３を２枚保持することが可能で、より多くの展示物を効果的に展示することも可能になる。
【００３２】
上記の例についても、固定用孔の設置位置については、前述したものと同様、別の複数の面に固定用孔を設けてもよい。また、１面のみに設けてもよいが、固定具１５を用いて展示台１を取り付け可能とし、設置の自由度を上げるためにはベース底面を含む複数の面に固定用孔を設けることが望ましい。また、固定具の種類によっては固定用孔が必要でない場合もある。その場合も、上記と同様、望ましくは底面を含む、複数の面に固定具を直接取り付けるとよい。
【００３３】
以上のように、ベース１１に保持手段を設け、パネル１３を着脱可能にすることにより、さまざまな展示物を保持し、展示することが可能になる。また、ベース１１の底面や側面、前面、後面に固定用孔や固定具を設けることにより、天板、壁面等の外部に展示台１を固定することが可能になる。
【００３４】
尚、本発明は、前述した実施の形態に限定されるものではなく、種々の改変が可能であり、それらも、本発明の技術範囲に含まれる。
例えば、ベース１１、パネル１３の形状は前述した実施形態に限定されるものではない。例えば、パネル１３を台形状にすることも可能である。また、パネル１３の保持手段も、スチール-マグネット、面ファスナーに限らない。例えば、ベース１１に切欠溝を設け、そこにパネル１３を挿入することにより保持するようにしてもよい。また、固定具１５も吸盤、マグネットに限ることはない。
【符号の説明】
【００３５】
１………展示台
１１………ベース
１３………パネル
１５………固定具
１１１………スチール
１１２………係止部
１１３、１１４………固定用孔
１３１………マグネット
１３３………展示物設置部
１５１………ネジ付き吸盤
１５３………ネジ部
１５７………ナット
【図１】
2011092374.tif 000003
【図２】
2011092374.tif 000004
【図３】
2011092374.tif 000005
【図４】
2011092374.tif 000006
【図５】
2011092374.tif 000007
【図６】
2011092374.tif 000008